(57)【要約】【課題】接地部をハウジングから突出させないようカバー部材に形成することができるカード用コネクタを提供すること。【解決手段】接地部２２は、カバー部材２０の天板部２１の縁部からほぼ直角に曲折してハウジング本体１０に沿って延びている。この接地部２２は、ハウジング本体１０側に向かう方向への折り返し加工により形成された折り目部２３と折返し部２４とを有し、折り目部２３の位置で回路基板等に接地されることになる。ハウジング本体１０には、折返し部２４を収容する収容部１２が形成されている。また、ハウジング本体１０には、折返し部２４の天板部２１側の端部と対向して位置する係止部１３が形成されている。折返し部２４の天板部２１側の端部と係止部１３とが係合することにより、底部１１と天板部２１とが離れる方向へのハウジング本体１０とカバー部材２０との相対移動が阻止される。【選択図】図６
2010021058.tif 000002
【特許請求の範囲】
【請求項１】
カードが挿入されるハウジングを有し、このハウジングは、樹脂製のハウジング本体と、金属板からの成形品であって前記ハウジング本体に結合したカバー部材とからなり、前記ハウジング本体は底部を有し、前記カバー部材は天板部を有し、これら底部と天板部との間に前記カードの挿入空間が形成され、前記カバー部材には回路基板等への実装状態において接地される接地部が形成されたカード用コネクタであって、
前記接地部は、前記天板部の縁部から曲折して前記ハウジング本体に沿って延びているとともに、前記ハウジング本体側に向かう方向への折り返し加工により形成された折り目部と折返し部とを有し、前記折り目部は前記回路基板等への実装状態において接地される部分となり、
前記ハウジング本体には、前記折返し部を収容する収容部と、前記折返し部の前記天板部側の端部と対向して位置する係止部とが形成され、
前記折返し部の前記天板部側の端部と前記係止部とが係合することにより、前記底部と前記天板部とが離れる方向への前記ハウジング本体と前記カバー部材との相対移動が阻止される
ことを特徴とするカード用コネクタ。
【請求項２】
請求項１に記載の発明において、
前記係止部は、前記接地部側から前記ハウジング本体側に向かう方向において前記折返し部の前記天板部側の端部から離れる方向に傾斜した傾面からなる
ことを特徴とするカード用コネクタ。
【請求項３】
請求項１または請求項２に記載の発明において、
前記カバー部材は、前記天板部の縁部から曲折し前記ハウジング本体に沿って延びた係止板部を有し、この係止板部には前記ハウジング本体を部分的に露出させる係止孔が形成され、前記ハウジング本体は前記係止孔に挿入された係止爪を有し、
前記係止板部と前記係止爪とが前記係止孔の縁で係合することにより、前記底部と前記天板部とが離れる方向への前記ハウジング本体と前記カバー部材との相対移動が阻止される
ことを特徴とするカード用コネクタ。
【発明の詳細な説明】
【技術分野】
【０００１】
本発明は、ハウジングが樹脂製のハウジング本体と、金属板からの成形品でありハウジング本体に結合したカバー部材とからなり、カバー部材には回路基板等への実装状態において接地される接地部が形成されたカード用コネクタに関する。
【背景技術】
【０００２】
この種の従来のカード用コネクタとしては特許文献１に開示されたものがある。この従来のカード用コネクタにおいて、ハウジングは、樹脂製のハウジング本体と、金属板からの成形品であってハウジング本体に結合したカバー部材とからなる。ハウジング本体は底部を有し、カバー部材は天板部を有し、これら底部と天板部との間に、カードの挿入空間が形成されている。
【０００３】
カバー部材は、天板部から屈曲しハウジング本体の側部に沿って広がった側板部を有する。この側板部の天板部側と反対側の縁部からは、カバー部材の外側方に向かって接地部が延びている。つまり、接地部はハウジングから突出している。
【特許文献１】特開２００５−７１６６７号公報
【発明の開示】
【発明が解決しようとする課題】
【０００４】
カード用コネクタが搭載される機器の小型化に伴い、カード用コネクタに対しても小型化が要望されている。特許文献１に開示のカード用コネクタにおいて、接地部はハウジングから突出しているため、その要望に十分には応えられなかった。
【０００５】
本発明は前述の事情を考慮してなされたものであり、その目的は、接地部をハウジングから突出させないようカバー部材に形成することができるカード用コネクタを提供することにある。
【課題を解決するための手段】
【０００６】
本発明のカード用コネクタは前述の目的を達成するために次のように構成されている。
【０００７】
〔１〕  本発明は、カードが挿入されるハウジングを有し、このハウジングは、樹脂製のハウジング本体と、金属板からの成形品であって前記ハウジング本体に結合したカバー部材とからなり、前記ハウジング本体は底部を有し、前記カバー部材は天板部を有し、これら底部と天板部との間に前記カードの挿入空間が形成され、前記カバー部材には回路基板等への実装状態において接地される接地部が形成されたカード用コネクタであって、前記接地部は、前記天板部の縁部から曲折して前記ハウジング本体に沿って延びているとともに、前記ハウジング本体側に向かう方向への折り返し加工により形成された折り目部と折返し部とを有し、前記折り目部は回路基板等への実装状態において接地される部分となり、前記ハウジング本体には、前記折返し部を収容する収容部と、前記折返し部の前記天板部側の端部と対向して位置する係止部とが形成され、前記折返し部の前記天板部側の端部と前記係止部とが係合することにより、前記底部と前記天板部とが離れる方向への前記ハウジング本体と前記カバー部材との相対移動が阻止されることを特徴とする。
【０００８】
この「〔１〕」に記載の本発明において、接地部は天板部の縁部から曲折してハウジング本体に沿って延びていて、折り目部の位置で回路基板等に接地される。接地部を回路基板等に単に接触させることだけを考えた場合、接地部の天板部と反対側の端部は折り目部ではなく金属板の切断面であってもよいのだが、良導電性が要求されるカバー部材の材料としては良導電性材料で鍍金された金属板が用いられるのが一般的であり、接地部を折り目部の位置で接地させることによって回路基板等に対する接地部の接点を良導電性の鍍金面とすることができる。つまり、良導電性の鍍金面を利用して接地部と回路基板等との良好な導通状態を確保することができる。
【０００９】
接地部には折り目部とともに折返し部が形成されている。この折返し部はハウジング本体側に形成されているとともにハウジング本体の収容部に収容されている。これにより、接地部をハウジングから突出させないようカバー部材に形成することができる。
【００１０】
また、「〔１〕」に記載の本発明は、折返し部の天板部側の端部と係止部とが係合することにより、底部と天板部とが離れる方向へのハウジング本体とカバー部材との相対移動が阻止されるので、ハウジング本体とカバー部材との結合強度の確保に貢献できる。
【００１１】
〔２〕  本発明は、「〔１〕」に記載の発明において、前記係止部は、前記接地部側から前記ハウジング本体側に向かう方向において前記折返し部の前記天板部側の端部から離れる方向に傾斜した傾面からなることを特徴とする。
【００１２】
この「〔２〕」に記載の本発明によれば、折返し部の天板部側の端部が係止部に係合しやすくするこができるので、底部と天板部とが離れる方向へのハウジング本体とカバー部材との相対移動の阻止の確実性を向上させることができる。
【００１３】
〔３〕  本発明は、「〔１〕」または「〔２〕」に記載の発明において、前記カバー部材は、前記天板部の縁部から曲折し前記ハウジング本体に沿って延びた係止板部を有し、この係止板部には前記ハウジング本体を部分的に露出させる係止孔が形成され、前記ハウジング本体は前記係止孔に挿入された係止爪を有し、前記係止板部と前記係止爪とが前記係止孔の縁で係合することにより、前記底部と前記天板部とが離れる方向への前記ハウジング本体と前記カバー部材との相対移動が阻止されることを特徴とする。
【００１４】
この「〔３〕」に記載の本発明は、係止板部と係止爪とが係止孔の縁で係合することにより、底部と天板部とが離れる方向へのハウジング本体とカバー部材との相対移動が阻止される。これによっても、ハウジング本体とカバー部材との結合強度の確保に貢献できる。
【発明の効果】
【００１５】
本発明によれば、前述したように、接地部をハウジングから突出させないようカバー部材に形成することができる。これにより、カード用コネクタの小型化に貢献できる。
【発明を実施するための最良の形態】
【００１６】
本発明の一実施形態に係るカード用コネクタについて図１〜図６を用いて説明する。図１は本発明の一実施形態に係るカード用コネクタの３面図であって、（ａ）は上面図、（ｂ）は背面図、（ｃ）は右側面図である。図２は図１に示したカード用コネクタの右後斜め下方からの斜視図である。図３は図２に示したカード用コネクタにカードが挿入された状態の斜視図である。図４は図１に示したカード用コネクタに備えられたカバー部材の右後斜め下方からの斜視図である。図５は図１に示したカード用コネクタに備えられたハウジング本体の右後斜め下方からの斜視図である。図６は図１に示したカード用コネクタに備えられた接地部、収容部および係止部の拡大断面図である。
【００１７】
図１〜図３に示すように、本実施形態に係るカード用コネクタ１は、カード４０（図３参照）が挿入されるハウジング２を有する。このハウジング２は、樹脂製のハウジング本体１０と、金属板からの成形品であってハウジング本体１０に結合したカバー部材２０とからなる。ハウジング本体１０は底部１１を有し、カバー部材２０は天板部２１を有し、これら底部１１と天板部２１との間にカード４０の挿入空間２ａが形成されている。
【００１８】
ハウジング本体１０の底部１１には、カード４０の挿入方向（Ｙ方向）に延びた端子２８がハウジング２の幅方向（Ｘ方向）に並んでなる端子列２７が設けられている。端子２８は、カード４０の挿入方向の後側の端部をインサート成形によりハウジング本体１０に固着されて、ハウジング２の厚さ方向（Ｚ方向）に可撓な片持ち梁状になっている。カード４０の挿入方向の前側の端子２８の端部（自由端）は、挿入空間２ａ内に突出している。
【００１９】
図３に示すように、カード４０の一面には、ハウジング本体１０の底部１１の端子列２７に対応する端子列４１が設けられている。カード４０がハウジング２に挿入された状態において、底部１１の端子列２７の各端子２８と、カード４０の端子列４１の各端子４０とが接触するようになっている。端子２８と端子４０とは接触した状態において、端子２８はその可撓性によって端子４０に押し付けられている。
【００２０】
図２〜図４に示すように、カバー部材２０には、回路基板等（図示していない）への実装状態において接地される接地部２２が形成されている。接地部２２は、天板部２１の右側の縁部からほぼ直角に曲折して、ハウジング本体１０の右側部に沿って延びている。
【００２１】
図６に示すように、接地部２２は、ハウジング本体１０側への折り返し加工により形成された折り目部２３と折返し部２４とを有する。折り目部２３はハウジング本体１０の底部１１よりも下方に突出している。接地部２２はその折り目部２３の位置で、回路基板等に接地されることになる。
【００２２】
図５，６に示すように、ハウジング本体１０の右側部には、接地部２２の折返し部２４を収容する凹状の収容部１２と、カバー部材２０の天板部２１側の折返し部２４の端部と対向して位置する係止部１３とが形成されている。係止部１３は、ハウジング２の前後方向（Ｙ方向）およびハウジング２の幅方向（Ｘ方向）に広がる平坦面（Ｘ―Ｙ平面）からなる。折返し部２４の天板部２１側の端部と係止部１３とが係合することにより、底部１１と天板部２１とが離れる方向へのハウジング本体１０とカバー部材２０との相対移動が阻止される。接地部２２、収容部１２および係止部１３はハウジング２の左側部にも設けられている。
【００２３】
カバー部材２０は、天板部２１の右側の縁部からほぼ直角に曲折しハウジング本体１０の右側部に沿って延びた係止板部２５を有する。この係止板部２５にはハウジング本体１０を部分的に露出させる係止孔２６が形成されている。ハウジング本体１０はその係止孔２６に挿入された係止爪１４を有する。係止板部２５と係止爪１４とが係止孔２６の縁で係合することにより、底部１１と天板部２１とが離れる方向へのハウジング本体１０とカバー部材２０との相対移動が阻止される。係止板部２５および係止爪１４は、ハウジング２の右側部および左側部のそれぞれに３個所ずつ設けられている。
【００２４】
本実施形態に係るカード用コネクタ１によれば次の効果を得られる。
【００２５】
カード用コネクタ１においては、接地部２２は天板部２１の縁部からほぼ直角に曲折しハウジング本体１０に沿って延びていて、折り目部２３の位置で回路基板等に接地される。接地部２２を回路基板等に単に接触させることだけを考えた場合、接地部２２の天板部２１と反対側の端部は折り目部２３ではなく金属板の切断面であってもよいのだが、良導電性が要求されるカバー部材２０の材料としては良導電性材料で鍍金された金属板が用いられるのが一般的であり、接地部２２を折り目部２３の位置で接地させることによって回路基板等に対する接地部２２の接点を良導電性の鍍金面とすることができる。つまり、良導電性の鍍金面を利用して接地部２２と回路基板等との良好な導通状態を確保することができる。
【００２６】
カード用コネクタ１においては、接地部２２には折り目部２３とともに折返し部２４が形成されている。この折返し部２４はハウジング本体１０側に形成されているとともにハウジング本体１０の収容部１２に収容されている。これにより、接地部２２をハウジング２から突出させないようカバー部材２０に形成することができる。
【００２７】
カード用コネクタ１においては、折返し部２４の天板部２１側の端部と係止部１３とが係合することにより、底部１１と天板部２１とが離れる方向へのハウジング本体１０とカバー部材２０との相対移動が阻止されるので、ハウジング本体１０とカバー部材２０との結合強度の確保に貢献できる。
【００２８】
カード用コネクタ１においては、係止板部２５と係止爪１４とが係止孔２６の縁で係合することにより、底部１１と天板部２１とが離れる方向へのハウジング本体１０とカバー部材２０との相対移動が阻止される。これによっても、ハウジング本体１０とカバー部材２０との結合強度の確保に貢献できる。
【００２９】
なお、前述の実施形態に係るカード用コネクタ１は係止部１３を備えていたが、本発明の係止部は係止部１３に限定されるものではなく、図７に示す係止部３０であってもよい。この係止部３０は、接地部２２側からハウジング本体１０側に向かう方向において折返し部２４の天板部２１側の端部から離れる方向に傾斜した傾面からなる。この係止部３０は係止部１３よりも折返し部２４の天板部２１側の端部に係合しやすい。これにより、底部１１と天板部２１とが離れる方向へのハウジング本体１０とカバー部材２０との相対移動の阻止の確実性を向上させることができる。
【図面の簡単な説明】
【００３０】
【図１】本発明の一実施形態に係るカード用コネクタの３面図であって、（ａ）は上面図、（ｂ）は背面図、（ｃ）は右側面図である。
【図２】図１に示したカード用コネクタの右後斜め下方からの斜視図である。
【図３】図２に示したカード用コネクタにカードが挿入された状態の斜視図である。
【図４】図１に示したカード用コネクタに備えられたカバー部材の右後斜め下方からの斜視図である。
【図５】図１に示したカード用コネクタに備えられたハウジング本体の右後斜め下方からの斜視図である。
【図６】図１に示したカード用コネクタに備えられた接地部、収容部および係止部の拡大断面図である。
【図７】図６に示した係止部の別の例を示す拡大断面図である。
【符号の説明】
【００３１】
１  カード用コネクタ
２  ハウジング
２ａ  挿入空間
１０  ハウジング本体
１１  底部
１２  収容部
１３  係止部
１４  係止爪
２０  カバー部材
２１  天板部
２２  接地部
２３  折り目部
２４  折返し部
２５  係止板部
２６  係止孔
２７  端子列
２８  端子
３０  係止部
４０  カード
４１  端子列
４２  端子
【図１】
2010021058.tif 000003
【図２】
2010021058.tif 000004
【図３】
2010021058.tif 000005
【図４】
2010021058.tif 000006
【図５】
2010021058.tif 000007
【図６】
2010021058.tif 000008
【図７】
2010021058.tif 000009